(57)【要約】      （修正有）【課題】装着状態の如何にかかわらず、装着したときの見栄えが良くなる指輪を提供する。【解決手段】指を挿通する環状部材１の内周側に、指輪の号数に合わせた内径面１０と、内径面１０の両側において外径側に向かって傾斜する第１の傾斜面１１と第２の傾斜面１２を形成した。このため、環状部材１の内周が、内径面１０を頂面とする山型に形成される。山型の両側は上記第１の傾斜面１１と第２の傾斜面１２である。したがって、指輪を装着すると、指の肉に山型がめり込むことになる。この状態では、装着した指輪の前後における指の肉の盛り上がりができにくい。そうすると、装着した指輪が指に食い込んだようには見えず、見栄えがよくなる。また、指輪が指の周りを回って装着状態が変動したとしても、その見栄えは変わらない。【選択図】図１
0003220808.tif 000002
【実用新案登録請求の範囲】
【請求項１】
指を挿通する環状部材の内周側に、指輪の号数に合わせた内径面と、上記内径面の両側において外径側に向かって傾斜する第１の傾斜面と第２の傾斜面が形成されている
ことを特徴とする指輪。
【請求項２】
上記内径面の幅寸法が１．５ｍｍ以上である
請求項１記載の指輪。
【請求項３】
上記第１の傾斜面と第２の傾斜面の傾斜角度が等しい
請求項１または２記載の指輪。
【請求項４】
上記第１の傾斜面と第２の傾斜面の軸方向に対する傾斜角度が４５度以上である
請求項３記載の指輪。
【請求項５】
上記第１の傾斜面と第２の傾斜面の軸方向における寸法が１ｍｍ以上である
請求項３または４記載の指輪。
【請求項６】
上記第１の傾斜面と第２の傾斜面の縁部から環状部材の外径面までの寸法が１ｍｍ以上である
請求項１〜５のいずれか一項に記載の指輪。
【考案の詳細な説明】
【技術分野】
【０００１】
本考案は、装着したときに見栄えが良い指輪に関するものである。
【背景技術】
【０００２】
指輪を装着すると、装着した指輪の前後において指の肉の盛り上がりができてしまうことがある。そうすると、指輪が指に食い込んでいるように見えてしまい、極めて見栄えが悪くなる。指輪の使用者のうち特に女性は、このような見栄えが気になるものであり、指輪の構造による解決が望まれていた。
【０００３】
装着したときの見栄えを良くする指輪に関し、本出願人は先行技術文献として下記の特許文献１を把握している。
【先行技術文献】
【特許文献】
【０００４】
【特許文献１】特許第６３９５２６９号公報
【０００５】
上記特許文献１には、指輪の審美性を高めることをひとつの目的とし、つぎの記載がある。
［００２５］
図７は、内周面１１の上側に形成される広い部分に逃げる指の甲側の肉１５の一例を示す。
環状部１０の内周面１１の上側は横幅が広くて平らに近い形状であるため、上側の広い部分に指の甲側の肉１５が逃げることができる。環状部１０は上側から下側に向かって徐々に狭くなり、図６に示したように内周面１１の下側の部分が指の腹側の肉１４を挟み込む。しかし、上側から見ると、環状部１０は指に食い込んでいるように見えず、見た目が良い。特に、握りこぶしを作ると、指の甲側の肉１５は平らな状態になるが、これを内周面１１の上側の広い部分に逃がすことができる。このため、指輪がはめられた指を指の甲側から見た場合に見た目が良く、指輪の審美性が向上する。
【考案の概要】
【考案が解決しようとする課題】
【０００６】
特許文献１の指輪は、環状部１０の内周面に、横幅の広い部分と狭い部分をつくり、広い部分に指の甲側の肉を逃がそうとするものである。
このような指輪では、横幅の広い部分をいつも指の甲側に配置していなければならない。宝石などを装着する装飾部１７を持つ指輪であれば、横幅の広い部分に装飾部１７を配置すれば、横幅の広い部分が常に指の甲側に配置されることになる。しかし、装飾部１７を持たない指輪では指の周りをくるくる回ってしまい、横幅の広い部分がいつも指の甲側に配置されるとは限らない。横幅の狭い部分が指の甲側に来てしまうと、かえって指の肉に環状部１０が食い込んでしまう。つまり、特許文献１の指輪は、装着状態によっては、かえって見苦しくなってしまうという問題がある。
【０００７】
本考案は、上記事情に鑑み、下記の目的をもってなされた。
装着状態の如何にかかわらず、装着したときの見栄えが良くなる指輪を提供する。
【課題を解決するための手段】
【０００８】
請求項１記載の指輪は、上記目的を達成するため、つぎの構成を採用した。
指を挿通する環状部材の内周側に、指輪の号数に合わせた内径面と、上記内径面の両側において外径側に向かって傾斜する第１の傾斜面と第２の傾斜面が形成されている。
【０００９】
請求項２記載の指輪は、請求項１記載の構成に加え、つぎの構成を採用した。
上記内径面の幅寸法が１．５ｍｍ以上である。
【００１０】
請求項３記載の指輪は、請求項１または２記載の構成に加え、つぎの構成を採用した。
上記第１の傾斜面と第２の傾斜面の傾斜角度が等しい。
【００１１】
請求項４記載の指輪は、請求項３記載の構成に加え、つぎの構成を採用した。
上記第１の傾斜面と第２の傾斜面の軸方向に対する傾斜角度が４５度以上である。
【００１２】
請求項５記載の指輪は、請求項３または４記載の構成に加え、つぎの構成を採用した。
上記第１の傾斜面と第２の傾斜面の軸方向における寸法が１ｍｍ以上である。
【００１３】
請求項６記載の指輪は、請求項１〜５のいずれか一項に記載の構成に加え、つぎの構成を採用した。
上記第１の傾斜面と第２の傾斜面の縁部から環状部材の外径面までの寸法が１ｍｍ以上である。
【考案の効果】
【００１４】
請求項１記載の指輪は、指を挿通する環状部材の内周側に、指輪の号数に合わせた内径面の両側に第１の傾斜面と第２の傾斜面が形成されている。上記第１の傾斜面と第２の傾斜面はそれぞれ外径側に向かって傾斜している。このため、本考案の指輪は、上記環状部材の内周が、上記内径面を頂面とする山型に形成される。上記山型の両側は、上記第１の傾斜面と第２の傾斜面である。
したがって、本考案の指輪を装着すると、指の肉に上記山型がめり込むことになる。この状態では、装着した指輪の前後における指の肉の盛り上がりができにくい。そうすると、装着した指輪が指に食い込んだようには見えず、見栄えがよくなる。また、指輪が指の周りを回って装着状態が変動したとしても、その見栄えは変わらない。このように、本考案の指輪では、装着状態の如何にかかわらず、装着したときの見栄えが良くなる。
【００１５】
請求項２記載の指輪は、上記内径面の幅寸法を１．５ｍｍ以上とした。
これにより、本考案の指輪を装着して指の肉に上記山型がめり込んだとしても、指に痛みを感じることがないし、指輪がぐらぐらせずに装着状態が安定する。
【００１６】
請求項３記載の指輪は、上記第１の傾斜面と第２の傾斜面の傾斜角度を等しくした。
これにより、どちら向きでも同様の装着状態が得られ、指輪を装着するときに装着の向きを気にする必要がない。
【００１７】
請求項４記載の指輪は、上記第１の傾斜面と第２の傾斜面の軸方向に対する傾斜角度を４５度以上とした。
これにより、本考案の指輪を装着したときに、指の肉に上記山型が充分にめり込んで、装着した指輪の前後における指の肉の盛り上がりができにくい。したがって、装着した指輪が指に食い込んだようには見えず、充分な見栄えを確保できる。
【００１８】
請求項５記載の指輪は、上記第１の傾斜面と第２の傾斜面の軸方向における寸法を１ｍｍ以上とした。
これにより、本考案の指輪を装着したときに、指の肉に上記山型が充分にめり込んで、装着した指輪の前後における指の肉の盛り上がりができにくい。したがって、装着した指輪が指に食い込んだようには見えず、充分な見栄えを確保できる。
【００１９】
請求項６記載の指輪は、上記第１の傾斜面と第２の傾斜面の縁部から環状部材の外径面までの寸法を１ｍｍ以上とした。
これにより、本考案の指輪を装着したときに、指の肉に上記山型がめり込んだとしても、装着した指輪の厚みが視認でき、見た目に不自然さが生じるのを防ぐことができる。
【図面の簡単な説明】
【００２０】
【図１】本考案の一実施形態の指輪を示す図である。
【考案を実施するための形態】
【００２１】
つぎに、本考案を実施するための形態を説明する。
図１は、本考案の一実施形態の指輪を示す図であり、（Ａ）は正面図、（Ｂ）は部分拡大断面図である。
【００２２】
〔基本構造〕
指を挿通する環状部材１の内周側に、内径面１０と、第１の傾斜面１１および第２の傾斜面１２が形成されている。
上記内径面１０は、指輪の号数に合わせた内径寸法Ａに設定される。
上記第１の傾斜面１１と第２の傾斜面１２は、上記内径面１０の両側において、それぞれ外径側に向かって傾斜している。
つまり、本実施形態の指輪は、上記環状部材１の内周が、上記内径面１０を頂面とする山型に形成される。上記山型の両側は、上記第１の傾斜面１１と第２の傾斜面１２である。
【００２３】
〔寸法設定〕
上記内径面１０の幅寸法Ｂは、１．５ｍｍ以上とするのが好ましい。より好ましいのは１．８ｍｍ以上、さらに好ましいのは２ｍｍ以上である。
上記幅寸法Ｂが小さすぎると、指輪を装着して上記山型が指の肉にめり込んだときに、指に痛みを感じるおそれがあり、指輪がぐらぐらして装着状態が不安定になるおそれがあるからである。
【００２４】
上記第１の傾斜面１１と第２の傾斜面１２の傾斜角度Ｃを等しくするのが好ましい。
上記第１の傾斜面１１と第２の傾斜面１２の傾斜角度Ｃが等しくなければ、指輪を装着する向きによって装着感が変わり、指輪を装着する向きを気にしなければならなくなるおそれがあるからである。
【００２５】
上記第１の傾斜面１１と第２の傾斜面１２の軸方向Ｘに対する傾斜角度Ｃは４５度以上とするのが好ましい。より好ましいのは６０〜７０度である。
上記傾斜角度Ｃが小さすぎると、指輪を装着したときの指の肉への上記山型のめり込みが少なく、十分な見栄えがえられなくなるおそれがあるからである。
上記傾斜角度Ｃが大きすぎると、指輪を装着して上記山型が指の肉にめり込んだときに、指に痛みを感じるおそれがあり、指輪がぐらぐらして装着状態が不安定になるおそれがあるからである。
【００２６】
上記第１の傾斜面１１と第２の傾斜面１２の軸方向Ｘにおける寸法Ｄは１ｍｍ以上とするのが好ましい。より好ましいのは１〜２ｍｍである。
上記寸法Ｄが小さすぎると、指輪を装着して上記山型が指の肉にめり込んだときに、指に痛みを感じるおそれがあり、指輪がぐらぐらして装着状態が不安定になるおそれがあるからである。
【００２７】
上記第１の傾斜面１１と第２の傾斜面１２の縁部から環状部材１の外径面１３までの寸法Ｅは１ｍｍ以上とするのが好ましい。
上記寸法Ｅが小さすぎると、指輪を装着して指の肉に上記山型がめり込んだときに、装着した指輪の厚みが視認しにくくなり、見た目に不自然さが生じるおそれがあるからである。
【００２８】
〔実施形態の効果〕
本実施形態の指輪は、指を挿通する環状部材の内周側に、指輪の号数に合わせた内径面の両側に第１の傾斜面と第２の傾斜面が形成されている。上記第１の傾斜面と第２の傾斜面はそれぞれ外径側に向かって傾斜している。このため、本考案の指輪は、上記環状部材の内周が、上記内径面を頂面とする山型に形成される。上記山型の両側は、上記第１の傾斜面と第２の傾斜面である。
したがって、本考案の指輪を装着すると、指の肉に上記山型がめり込むことになる。この状態では、装着した指輪の前後における指の肉の盛り上がりができにくい。そうすると、装着した指輪が指に食い込んだようには見えず、見栄えがよくなる。また、指輪が指の周りを回って装着状態が変動したとしても、その見栄えは変わらない。このように、本考案の指輪では、装着状態の如何にかかわらず、装着したときの見栄えが良くなる。
【００２９】
本実施形態の指輪は、上記内径面の幅寸法を１．５ｍｍ以上とした。
これにより、本考案の指輪を装着して指の肉に上記山型がめり込んだとしても、指に痛みを感じることがないし、指輪がぐらぐらせずに装着状態が安定する。
【００３０】
本実施形態の指輪は、上記第１の傾斜面と第２の傾斜面の傾斜角度を等しくした。
これにより、どちら向きでも同様の装着状態が得られ、指輪を装着するときに装着の向きを気にする必要がない。
【００３１】
本実施形態の指輪は、上記第１の傾斜面と第２の傾斜面の軸方向に対する傾斜角度を４５度以上とした。
これにより、本考案の指輪を装着したときに、指の肉に上記山型が充分にめり込んで、装着した指輪の前後における指の肉の盛り上がりができにくい。したがって、装着した指輪が指に食い込んだようには見えず、充分な見栄えを確保できる。
【００３２】
本実施形態の指輪は、上記第１の傾斜面と第２の傾斜面の軸方向における寸法を１ｍｍ以上とした。
これにより、本考案の指輪を装着したときに、指の肉に上記山型が充分にめり込んで、装着した指輪の前後における指の肉の盛り上がりができにくい。したがって、装着した指輪が指に食い込んだようには見えず、充分な見栄えを確保できる。
【００３３】
本実施形態の指輪は、上記第１の傾斜面と第２の傾斜面の縁部から環状部材の外径面までの寸法を１ｍｍ以上とした。
これにより、本考案の指輪を装着したときに、指の肉に上記山型がめり込んだとしても、装着した指輪の厚みが視認でき、見た目に不自然さが生じるのを防ぐことができる。
【００３４】
◆その他の変形例
以上は本考案の特に好ましい実施形態について説明したが、本考案は図示した実施形態に限定する趣旨ではなく、各種の態様に変形して実施することができ、本考案は各種の変形例を包含する趣旨である。
【符号の説明】
【００３５】
Ａ：内径寸法
Ｂ：内径面の幅寸法
Ｃ：第１の傾斜面と第２の傾斜面の傾斜角度
Ｄ：第１の傾斜面と第２の傾斜面の軸方向における寸法
Ｅ：第１の傾斜面と第２の傾斜面の縁部から環状部材の外径面までの寸法
Ｘ：軸方向
１：環状部材
１０：内径面
１１：第１の傾斜面
１２：第２の傾斜面
１３：外径面
【図１】
0003220808.tif 000003